(57)【要約】【課題】  非作動時における水道水の腐敗や消火管の腐蝕・劣化を確実に防止でき、しかも点検が容易に行えるようにする。【解決手段】  部屋の天井に設置されるスプリンクラーヘッドと、水道管６に接続され水道水をスプリンクラーヘッドへ給水する消火管５と、消火管５の途中位置に設けられる常閉の電動開閉弁７と、電動開閉弁７より下流の消火管５の途中に設けられる常開のテスト弁８と、電動開閉弁７とテスト弁８との間の消火管５の途中から分岐する水抜き管１２と、水抜き管１２の途中位置に設けられる常閉の水抜き弁９と、部屋の熱又は煙を感知する感知器と、感知器が熱又は煙を感知すると電動開閉弁７を開放させる制御ボックス１１とで構成する。散水後は電動開閉弁７を閉塞して水抜き弁９を開放する。点検時はテスト弁８を閉塞して水抜き弁９を開放する。【選択図】  図２
2009100824.tif 000002
【特許請求の範囲】
【請求項１】
部屋の天井に設置されるスプリンクラーヘッドと、水道管に接続され水道水をスプリンクラーヘッドへ給水する消火管と、消火管の途中位置に設けられる常閉の電動開閉弁と、電動開閉弁より下流の消火管途中に設けられる常開の第１手動弁と、電動開閉弁と第１手動弁との間の消火管途中から分岐する水抜き管と、水抜き管の途中位置に設けられる常閉の第２手動弁と、部屋の熱又は煙を感知する感知器と、感知器が熱又は煙を感知すると電動開閉弁を開放させる制御手段とで構成された、スプリンクラー装置。
【請求項２】
制御手段が、感知器が熱又は煙を感知すると警報音を発音する警報ブザーを備えたものである、請求項１記載のスプリンクラー装置。
【発明の詳細な説明】
【技術分野】
【０００１】
本発明は、戸建住宅・マンション・アパート・学校・グループホーム・介護施設・病院等に使用されるスプリンクラー装置に関する。
【背景技術】
【０００２】
従来のスプリンクラー装置としては、例えば特許文献１に開示されているものがある。この技術は、水道管の途中位置とスプリンクラーヘッドとを消火管で接続し、スプリンクラーヘッドの下流側に流量調整弁を介して水使用器具を取り付け、平時は水道水が流量調整弁を経由して水使用器具側へ給水され、火災時は流量調整弁を閉塞することでスプリンクラーヘッド側へ給水できるようにしたことを特徴とし、水道管内の水道水は絶えず入れ替わるから、水道水の腐敗や消火管の腐蝕・劣化を防止できるというものである。
【０００３】
しかしながら、前記の技術は、平時において水道水が消火管を通過する際、水道水の一部が消火管に流れ込み、スプリンクラー装置が作動するまで滞留した状態となるから、水道水の腐敗や消火管の腐蝕・劣化の対策が不十分であった。また、スプリンクラー装置の点検時はスプリンクラーヘッドから散水する水で部屋が水浸しにならないように対策する必要があった。
【特許文献１】特開２００５−２１１２８３号公報
【発明の開示】
【発明が解決しようとする課題】
【０００４】
本発明が解決しようとする課題は、従来のこれらの問題点を解消し、非作動時における水道水の腐敗や消火管の腐蝕・劣化を確実に防止でき、しかも点検が容易に行えるスプリンクラー装置を提供することにある。
【課題を解決するための手段】
【０００５】
かかる課題を解決した本発明の構成は、
１）  部屋の天井に設置されるスプリンクラーヘッドと、水道管に接続され水道水をスプリンクラーヘッドへ給水する消火管と、消火管の途中位置に設けられる常閉の電動開閉弁と、電動開閉弁より下流の消火管途中に設けられる常開の第１手動弁と、電動開閉弁と第１手動弁との間の消火管途中から分岐する水抜き管と、水抜き管の途中位置に設けられる常閉の第２手動弁と、部屋の熱又は煙を感知する感知器と、感知器が熱又は煙を感知すると電動開閉弁を開放させる制御手段とで構成された、スプリンクラー装置
２）  制御手段が、感知器が熱又は煙を感知すると警報音を発音する警報ブザーを備えたものである、前記１）記載のスプリンクラー装置
にある。
【発明の効果】
【０００６】
本発明によれば、感知器が部屋の熱又は煙を感知すると制御手段が電動開閉弁を開放させ、水道管の水道水が開放された電動開閉弁と常開している第１手動弁を経由してスプリンクラーヘッドまで充水し、部屋の温度が所定温度以上に上昇するとスプリンクラーヘッドがノズルを連通して散水される。
【０００７】
散水後は電動開閉弁を閉塞するとともに第２手動弁を開放すると、消火管内に残った水道水が逆流して水抜き管を通じて水抜きされ、作動後の消火管内は空となる。このように、非作動時の消火管内は常時空となるから、非作動時における水道水の腐敗や消火管の腐蝕・劣化を確実に防止できる。
【０００８】
また、スプリンクラー装置の点検時は第１手動弁を閉塞するとともに第２手動弁を開放しておき、感知器に熱又は煙を感知させると制御手段が電動開閉弁を開放させ、水道管の水道水が開放された電動開閉弁を通過するが、閉塞している第１手動弁では遮水されて水抜き管を通じて水抜きされ、スプリンクラーヘッドには給水されない。
【０００９】
点検者は水抜き管から水抜きされた水道水を確認することで、機器が正しく作動していることを点検する。このように、実際にスプリンクラーヘッドから散水させることなく容易に点検できる。
【発明を実施するための最良の形態】
【００１０】
本発明では、一般住宅向けにおいて、既存住宅に自動火災報知設備が既に設置されている場合、これを感知器として使用することで、既存の火災受信基盤から火災信号を受けて本発明のスプリンクラー装置を起動させることができ、新たに設備を設ける必要がなく低コストで実施できる。また、木造住宅等で新設する場合は、本発明のスプリンクラー装置を採用することで、住宅用火災警報器を省略できる。本発明の実施例を図面に基づいて具体的に説明する。
【実施例１】
【００１１】
図１〜４に示す実施例は、二階建ての住宅に本発明のスプリンクラー装置を設置した例である。図１は実施例のスプリンクラー装置の設置状態を示す説明図、図２は実施例のスプリンクラー装置の説明図、図３，４は実施例のスプリンクラー装置の使用状態を示す説明図である。
【００１２】
図中、１はスプリンクラーヘッド、２は感知器、３は受信機、４は警報ブザー、５は消火管、６は水道管、７は電動開閉弁、８はテスト弁（第１手動弁）、９は水抜き弁（第２手動弁）、１０は停止弁、１１は制御ボックス（制御手段）、１１ａはリレー、１２は水抜き管、１３は止水栓、Ｒは部屋、Ｗは水道水である。
【００１３】
本実施例のスプリンクラー装置は、図１，２に示すように部屋Ｒの天井にスプリンクラーヘッド１と感知器２を隣接して設置し、部屋Ｒの壁面に感知器２の感知を受信する受信機３と警報ブザー４を設置し、消火管５を水道管６から分岐して壁内と天井裏を通じてスプリンクラーヘッド１まで配管している。
【００１４】
電動開閉弁７とリレー１１ａを収容した制御ボックス１１は床下に設置し、水抜き管１２をボックス外へ配管している。制御ボックス１１は、受信機３の受信を感知するとリレー１１ａが作動して電動開閉弁７を開放する制御を備えている。テスト弁８の下流の消火管５の途中位置には手動の停止弁１０を設け、室内から散水の停止操作ができるようにしている。
【００１５】
本実施例では、図３（ａ）に示すように平時はテスト弁８と停止弁１０を開放し、水抜き弁９を閉塞しておく。感知器２が部屋Ｒの熱又は煙を感知すると警報ブザー４が発音し、図３（ｂ）に示すように電動開閉弁７が開放され、水道管６の水道水Ｗが電動開閉弁７とテスト弁８を経由してスプリンクラーヘッド１まで充水する。天井面の温度が７２℃以上に上昇してスプリンクラーヘッド１のノズルを閉塞している半田が溶解すると、ノズルが開放されて散水する。
【００１６】
散水を終了させる場合は停止弁１０を一旦閉塞させ、図３（ｃ）に示すように電動開閉弁７を閉塞した後に水抜き弁９と停止弁１０を開放すると、消火管５内に残った水道水Ｗが逆流して水抜き管１２を通じて水抜きされ、作動後の消火管５内は空となる。その後は、水抜き弁９を閉塞して平時の状態に戻しておく。このように、非作動時の消火管５内は常時空となるから、非作動時における水道水Ｗの腐敗や消火管５の腐蝕・劣化が確実に防止される。
【００１７】
スプリンクラー装置の点検時では、図４（ａ）に示すようにテスト弁８を閉塞するとともに水抜き弁９を開放しておく。感知器２に例えばライター等の熱を感知させると警報ブザー４が発音し、図４（ｂ）に示すように電動開閉弁７が開放され、水道管６の水道水Ｗが電動開閉弁７を通過するが閉塞しているテスト弁８で遮水され、水抜き管１２へ送水されて水抜きされ、スプリンクラーヘッド１には給水されない。
【００１８】
その後は図４（ｃ）に示すように電動開閉弁７を閉塞すると、電動開閉弁７とテスト弁８との間の消火管５内に残った水道水Ｗが逆流して水抜き管１２を通じて水抜きされ、水抜き管１２からの水抜きも停止する。点検者は水抜き管１２から水抜きされる水道水Ｗを確認することで、機器が正しく作動していることを点検する。点検が終了するとテスト弁８と水抜き弁９を平時の状態に戻しておく。
【産業上の利用可能性】
【００１９】
本発明の技術は、戸建住宅・マンション・アパート・学校・グループホーム・介護施設・病院等に有用である。
【図面の簡単な説明】
【００２０】
【図１】実施例のスプリンクラー装置の設置状態を示す説明図である。
【図２】実施例のスプリンクラー装置の説明図である。
【図３】実施例のスプリンクラー装置の使用状態を示す説明図である。
【図４】実施例のスプリンクラー装置の使用状態を示す説明図である。
【符号の説明】
【００２１】
１  スプリンクラーヘッド
２  感知器
３  受信機
４  警報ブザー
５  消火管
６  水道管
７  電動開閉弁
８  テスト弁（第１手動弁）
９  水抜き弁（第２手動弁）
１０  停止弁
１１  制御ボックス（制御手段）
１１ａ  リレー
１２  水抜き管
１３  止水栓
Ｒ  部屋
Ｗ  水道水
【図１】
2009100824.tif 000003
【図２】
2009100824.tif 000004
【図３】
2009100824.tif 000005
【図４】
2009100824.tif 000006